(57)【要約】【課題】回路基板の大型化を抑制し、回路基板とフレキシブル基板との組立作業性を向上させる基板接続構造及びプロジェクターを提供する。【解決手段】基板接続構造は、接続端子を備えたフレキシブル基板２５３を有する３つの光変調装置（液晶パネル２５２）と、接続端子を介してフレキシブル基板２５３がそれぞれ接続される３つのコネクター６５０が配設される回路基板５０と、を備え、コネクター６５０は、回路基板５０の外周近傍に配設されると共に、少なくとも１組の隣り合うコネクター６５０は、直角を除く角度を有して配設されている。また、回路基板５０には、コネクター６５０が３つ配設されると共に、１つのコネクター６５０（Ｇ光用コネクター６５０Ｇ）を基準として他の２つのコネクター６５０（Ｒ光用コネクター６５０Ｒ、Ｂ光用コネクター６５０Ｂ）が略対称となるように配設されている。【選択図】図２
2012003039.tif 000002
【特許請求の範囲】
【請求項１】
接続端子を備えたフレキシブル基板を有する複数の光変調装置と、
前記接続端子を介して前記フレキシブル基板がそれぞれ接続される複数のコネクターが配設される回路基板と、を備え、
前記コネクターは、前記回路基板の外周近傍に配設されると共に、少なくとも１組の隣り合う前記コネクターは、直角を除く角度を有して配設されていることを特徴とする基板接続構造。
【請求項２】
請求項１に記載の基板接続構造であって、
前記回路基板には、前記コネクターが３つ配設されると共に、１つの前記コネクターを基準として他の２つの前記コネクターが略対称となるように配設されていることを特徴とする基板接続構造。
【請求項３】
請求項１または請求項２に記載の基板接続構造であって、
前記コネクターの近傍となる前記回路基板の外形形状は、当該コネクターの外形形状と略平行な領域を有していることを特徴とする基板接続構造。
【請求項４】
請求項１〜３のいずれか一項に記載の基板接続構造であって、
前記複数のフレキシブル基板のうち、一のフレキシブル基板は、前記光変調装置側と、前記接続端子側とで、表裏が反転しないように前記コネクターと接続され、他のフレキシブル基板は、表裏が反転するように前記コネクターと接続されることを特徴とする基板接続構造。
【請求項５】
請求項１〜３のいずれか一項に記載の基板接続構造であって、
前記複数のフレキシブル基板はそれぞれ、前記光変調装置側と、前記接続端子側とで、表裏が反転しないように前記コネクターと接続されることを特徴とする基板接続構造。
【請求項６】
請求項１〜５のいずれか一項に記載の基板接続構造と、
前記光変調装置から射出された光学像を合成して射出する色合成光学装置と、を備えることを特徴とするプロジェクター。
【発明の詳細な説明】
【技術分野】
【０００１】
本発明は、基板接続構造と、当該基板接続構造を備えたプロジェクターに関する。
【背景技術】
【０００２】
従来、光源から射出された光束を３つの色光に分離し、分離された色光毎に光変調装置で変調して光学像を形成し、形成された色光毎の光学像を色合成光学装置で合成し、合成された光学像を画像光として投写するプロジェクターが知られている。また、光変調装置は、フレキシブル基板を有し、光変調装置を駆動する回路基板に配設されるコネクターと接続されている。
【０００３】
フレキシブル基板と回路基板との基板接続構造に関して、特許文献１では、光変調装置の上方に回路基板を配設し、光変調装置の位置に相対する回路基板の位置に、貫通する３つの孔を形成している。また、回路基板の孔の近傍にコネクターを配設している。そして、この３つの孔に対して各フレキシブル基板を下方から上方に挿通した後、対応する各コネクターに接続している。
【先行技術文献】
【特許文献】
【０００４】
【特許文献１】特許第３８７０７９１号公報
【発明の概要】
【発明が解決しようとする課題】
【０００５】
しかし、フレキシブル基板を挿通する孔が形成された回路基板では、この孔を避けて各種の回路素子を配設し、また配線を行わなければならない。そのため、回路基板が大型化するという課題があった。また、回路素子間を結ぶ配線パターンの長さが長くなることにより、信号の劣化が発生するという課題があった。一方、回路基板を光変調装置の上方に組み立てる際には、下方に位置するフレキシブル基板を、対応する孔に挿通させることが必要となる。この組み立ては、下方のフレキシブル基板が見えない状態で行うことになり、回路基板の組立作業性が低下するという課題があった。
従って、回路基板の大型化を抑制し、回路基板とフレキシブル基板との組立作業性を向上させる基板接続構造及びプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る基板接続構造は、接続端子を備えたフレキシブル基板を有する複数の光変調装置と、接続端子を介してフレキシブル基板がそれぞれ接続される複数のコネクターが配設される回路基板と、を備え、コネクターは、回路基板の外周近傍に配設されると共に、少なくとも１組の隣り合うコネクターは、直角を除く角度を有して配設されていることを特徴とする。
【０００８】
このような基板接続構造によれば、コネクターが回路基板の外周近傍に配設されることにより、外周側からフレキシブル基板をコネクターに接続することができる。これにより、フレキシブル基板を挿通する孔を回路基板に形成する必要がなくなる。従って、回路基板に各種回路素子を効率的に配設できることにより、回路素子の配設における最適化を図ることができる。併せて、回路素子間を結ぶ配線パターンの長さを短くすることができることにより、配線パターンの最適化を図ることができる。これらにより、回路基板の大型化を抑制することができる。
【０００９】
また、少なくとも１組の隣り合うコネクターが直角を除く角度を有して配設されることにより、回路基板にコネクターを配設する場合の角度（位置）に対する設計の自由度が向上し、コネクターへのフレキシブル基板の接続作業のし易さを考慮した角度（位置）でコネクターを配設することができる。従って、コネクター（回路基板）へのフレキシブル基板の接続作業性（組立作業性）を向上させることができる。
【００１０】
なお、直角を除く角度とは、角度をθとした場合、０＜θ＜９０°の鋭角、９０°＜θ＜１８０°の鈍角、θ＝１８０°の平角、１８０°＜θ＜３６０の優角（但し、θ＝２７０°は除く）を示している。
【００１１】
（適用例２）上記適用例に係る基板接続構造において、回路基板には、コネクターが３つ配設されると共に、１つのコネクターを基準として他の２つのコネクターが略対称となるように配設されていることが好ましい。
【００１２】
このような基板接続構造によれば、１つのコネクターを基準として他の２つのコネクターが略対称となるように配設されるため、対称位置に配設されない場合に比較して、コネクターに至る配線パターンの設計が容易となる。また、例えば、３つの光変調装置を用いるプロジェクターの場合、クロスダイクロイックプリズムの隣接する３方向の面に相対させて光変調装置を設置した光学装置が用いられている。このような光学装置に対して、本適用例の基板接続構造を用いることにより、基準となるコネクターに対応させて光学装置を配設し、各フレキシブル基板を対応するコネクターに接続した場合、他の２つのコネクターと接続する２つのフレキシブル基板をそれぞれ均等のねじり方や曲げ方で接続することができる。そのため、２つのフレキシブル基板に付与されるねじり応力や曲げ応力等を均等に分散させることができ、良好な接続状態を維持できる。
【００１３】
（適用例３）上記適用例に係る基板接続構造において、コネクターの近傍となる回路基板の外形形状は、コネクターの外形形状と略平行な領域を有していることが好ましい。
【００１４】
このような基板接続構造によれば、コネクターの近傍となる回路基板の外形形状が、コネクターの外形形状と略平行な領域を有していることにより、コネクターの外形に沿った基板外形とすることができ、回路基板の小型化を更に図ることができる。
【００１５】
（適用例４）上記適用例に係る基板接続構造において、複数のフレキシブル基板のうち、一のフレキシブル基板は、光変調装置側と、接続端子側とで、表裏が反転しないようにコネクターと接続され、他のフレキシブル基板は、表裏が反転するようにコネクターと接続されることが好ましい。
【００１６】
このような基板接続構造によれば、フレキシブル基板にねじりを加えて光変調装置と回路基板とを接続するので、フレキシブル基板の折り返しが少なくなる。従って、フレキシブル基板にかかる曲げ応力が少ないので、製品の故障につながる断線のおそれが少ない。また、光変調装置の上方に回路基板を配設し、光変調装置の位置に相対する回路基板の位置に形成された貫通する３つの孔に対して各フレキシブル基板を下方から上方に挿通した後、対応する各コネクターに接続する従来の製造工程と比べて製造工程が簡素化されるので、本発明の適用される最終製品の製造コストを低減することができる。
【００１７】
（適用例５）上記適用例に係る基板接続構造において、複数のフレキシブル基板はそれぞれ、光変調装置側と、接続端子側とで、表裏が反転しないようにコネクターと接続されることが好ましい。
【００１８】
このような基板接続構造によれば、フレキシブル基板の表裏は反転しないので、回路基板に配設される複数のコネクターのピン配置をそれぞれ統一することができる。従って、製品の開発工程や製造工程において、フレキシブル基板による光変調装置と回路基板との接続の確認が容易になる。
【００１９】
（適用例６）本適用例に係るプロジェクターは、上述したいずれかの基板接続構造と、光変調装置から射出された光学像を合成して射出する色合成光学装置と、を備えることを特徴とする。
【００２０】
このようなプロジェクターによれば、上述した基板接続構造を備えることにより、回路基板の大型化を抑制することができることで、プロジェクターの小型化を図ることができる。また、回路基板とフレキシブル基板との組立作業性が向上できることにより、良好な電気的接続状態を維持でき、安定した投写を行うことができる。
【図面の簡単な説明】
【００２１】
【図１】第１実施形態に係るプロジェクターの概略構成を模式的に示す平面図。
【図２】回路基板にフレキシブル基板を接続する基板接続構造を示す平面図。
【図３】回路基板にフレキシブル基板を接続する基板接続構造を示す斜視図。
【図４】回路基板にフレキシブル基板を接続する基板接続構造を示す側面図。
【図５】第２実施形態に係る基板接続構造を示す平面図。
【図６】第３実施形態に係る基板接続構造を示す平面図。
【発明を実施するための形態】
【００２２】
以下、実施形態を図面に基づいて説明する。
（第１実施形態）
【００２３】
図１は、第１実施形態に係るプロジェクター１の概略構成を模式的に示す平面図である。図１を参照して、プロジェクター１及び光学ユニット２の構成と動作を簡略して説明する。
【００２４】
本実施形態のプロジェクター１は、光源装置２１から射出される光束を画像信号に基づき変調して画像光を形成し、この画像光をスクリーンＳＣ等に拡大投写する装置である。また、プロジェクター１は、外装を構成する外装筐体４を備えている。また、プロジェクター１の外装筐体４内部には、光学ユニット２、冷却装置（図示省略）、電源装置（図示省略）、プロジェクター１の動作を制御する制御部（図２に示すＣＰＵ６００）を含む回路ユニット４０（図２参照）等を備えている。
【００２５】
本実施形態の光学ユニット２は、制御部の制御により、光源装置２１（光源ランプ２１１）から射出された光束を３つの色光に分離し、分離された色光毎に光変調装置で変調して光学像を形成し、形成された色光毎の光学像を色合成光学装置で合成し、合成された光学像を画像光として投写するユニットである。光学ユニット２は、光源装置２１、照明光学装置２２、色分離光学装置２３、リレー光学装置２４、光学装置２５、及び投写光学装置としての投写レンズ装置５を備えている。また、光学ユニット２は、これらの光学装置２１〜２５を構成する光学部品等を所定位置に収容する光学部品用筐体３を備えている。
【００２６】
光源装置２１は、光源としての光源ランプ２１１、及びリフレクター２１２等を備えている。光源装置２１は、光源ランプ２１１の発光により射出された光束をリフレクター２１２によって反射させて射出方向を揃え、照明光学装置２２に向けて射出する。なお、本実施形態の光源ランプ２１１は、超高圧水銀ランプ等の放電式ランプを採用している。
【００２７】
照明光学装置２２は、光源装置２１から射出された光束に対し、照明光軸Ａに直交する面内での照度を均一化するものである。照明光学装置２２は、第１レンズアレイ２２１、第２レンズアレイ２２２、偏光変換素子２２３、及び重畳レンズ２２４を備えている。また、照明光学装置２２は、３つのフィールドレンズ２２５を備えている。第１レンズアレイ２２１及び第２レンズアレイ２２２は、重畳レンズ２２４と共に、光源装置２１から射出された光束を後述する光変調装置（液晶パネル２５２）の表面に略重畳させる。偏光変換素子２２３は、第２レンズアレイ２２２から射出されたランダム偏光光を液晶パネル２５２で利用可能な略１種類の偏光光に揃える機能を有する。フィールドレンズ２２５は、光学装置２５の３つの液晶パネル２５２の手前に配置され、第２レンズアレイ２２２から射出された各部分光束をその中心軸に対して平行な光束に変換する。
【００２８】
色分離光学装置２３は、照明光学装置２２からの照明光束を赤色（Ｒ）光、緑色（Ｇ）光、及び青色（Ｂ）光の３つの色光に分離し、対応する３つの液晶パネル２５２に導光するものである。色分離光学装置２３は、２枚のダイクロイックミラー２３１，２３２、及び反射ミラー２３３を備えている。
【００２９】
リレー光学装置２４は、色分離光学装置２３で分離された色光（本実施形態ではＲ光）に対し、光路の長さが他の色光（Ｇ光、Ｂ光）の光路の長さよりも長くなるため、光の発散等による光の利用効率の低下を防止し、光変調装置（本実施形態ではＲ光用光変調装置）まで導くものである。リレー光学装置２４は、入射側レンズ２４１、リレーレンズ２４３、及び反射ミラー２４２，２４４を備えている。なお、本実施形態の光学ユニット２は、リレー光学装置２４がＲ光を導く構成としているが、これに限らず、例えば、Ｂ光を導く構成としてもよい。
【００３０】
光学装置２５は、各光変調装置に入射した各色光を画像信号に基づいて変調して光学像を形成し、形成された色光毎の光学像を、色合成光学装置で合成し、合成された光学像を画像光として投写レンズ装置５に射出するものである。光学装置２５は、光変調装置を構成する３つの液晶パネル２５２、３つの入射側偏光板２５１、３つの射出側偏光板２５４、及び色合成光学装置としてのクロスダイクロイックプリズム２５５を備えている。また、３つの液晶パネル２５２は、Ｒ光用光変調装置としてのＲ光用液晶パネル２５２Ｒ、Ｇ光用光変調装置としてのＧ光用液晶パネル２５２Ｇ、及びＢ光用光変調装置としてのＢ光用液晶パネル２５２Ｂで構成されている。なお、本実施形態の光変調装置を構成する３つの液晶パネル２５２は透過型を採用している。クロスダイクロイックプリズム２５５は、三角柱状の４つのプリズムを貼り合わせることにより、略正方形断面の角柱状に形成されている。
【００３１】
また、光学装置２５において、３つの液晶パネル２５２と、３つの射出側偏光板２５４と、クロスダイクロイックプリズム２５５とは、光学装置ユニット２６として一体に構成され、光学部品用筐体３に固定される。なお、光学装置２５を構成する３つの入射側偏光板２５１は、光学装置ユニット２６とは一体に構成されず、光学部品用筐体３に固定される。光学装置ユニット２６は、クロスダイクロイックプリズム２５５の隣接する３方向の入射面２５５Ｒ，２５５Ｇ，２５５Ｂに、保持部材（図示省略）を介して、対応する３つの射出側偏光板２５４と、３つの液晶パネル２５２とを保持固定して構成されている。
【００３２】
投写レンズ装置５は、入射する画像光をズーム調整する機能、及びフォーカス調整する機能を有し、光学装置２５で形成された画像光をスクリーンＳＣに拡大投写するものである。投写レンズ装置５は、１つ又は複数のレンズを１つのレンズ群として、複数のレンズ群を備えている。
【００３３】
光学部品用筐体３は、内部に所定の照明光軸Ａが設定され、上述した各光学装置２１〜２５を照明光軸Ａに対する所定位置に収容する。なお、上述した各光学装置２１〜２５及び投写レンズ装置５に関しては、種々の一般的なプロジェクターの光学系として利用されているため、詳細な説明を省略する。
【００３４】
図２は、回路基板５０にフレキシブル基板２５３を接続する基板接続構造を示す平面図である。図３は、図２に示す基板接続構造の斜視図である。図４は、図２に示す基板接続構造の側面図である。なお、図４は、Ｇ光用液晶パネル２５２ＧとＢ光用液晶パネル２５２Ｂの側面、及び回路基板５０の概断面を示している。図２〜図４を参照して、回路基板５０の構成、フレキシブル基板２５３の構成、及び回路基板５０とフレキシブル基板２５３との接続に関して説明する。
【００３５】
図２〜図４に示すように、回路基板５０と、回路基板５０の表裏面に高密度に実装（配設）される各種の回路素子６０とで回路ユニット４０が構成されている。なお、回路基板５０は、略矩形状に形成され、多層のリジット基板で構成されている。
【００３６】
回路素子６０は、制御部としてのＣＰＵ６００を備え、プロジェクター１の基本動作や画像処理動作を統括制御している。回路素子６０は、複数の接続用入力端子６２０を備え、プロジェクター１外部の電子機器（図示省略）からの画像信号等を入力する。回路素子６０は、複数の接続用端子６３０を備え、プロジェクター１の外装筐体４内部に設置された各種センサー部（図示省略）及び他の回路基板（図示省略）等と接続する。
【００３７】
回路素子６０は、パネル駆動ＩＣ６１０を備え、コネクター６５０介して液晶パネル２５２を駆動する。回路素子６０は、上記コネクター６５０を備え、液晶パネル２５２に備えるフレキシブル基板２５３と電気的に接続する。なお、回路素子６０は、上述した以外にも各種の素子（図示省略）を多数備えている。ここで、回路基板５０におけるコネクター６５０の実装面を表面側とし、コネクター６５０の非実装面を裏面側とする。
【００３８】
ＣＰＵ６００は、図２、図３に示すように、回路基板５０の略中央に配設される。接続用入力端子６２０は、図２、図３の図面上方の回路基板５０外形近傍で回路基板５０の裏面側に、保持枠６２１を介して配設される。接続用端子６３０は、図面左方の回路基板５０外形近傍に配設される。
【００３９】
パネル駆動ＩＣ６１０は、ＣＰＵ６００とコネクター６５０との間に配設される。パネル駆動ＩＣ６１０は、詳細には、３つの色光用の液晶パネル２５２を駆動するために、３つのパネル駆動ＩＣ６１０（Ｒ光用駆動ＩＣ６１０Ｒ、Ｇ光用駆動ＩＣ６１０Ｇ、Ｂ光用駆動ＩＣ６１０Ｂ）が配設される。なお、この３つのパネル駆動ＩＣ６１０は、３つの液晶パネル２５２に備えるフレキシブル基板２５３と接続する３つのコネクター６５０（Ｒ光用コネクター６５０Ｒ、Ｇ光用コネクター６５０Ｇ、Ｂ光用コネクター６５０Ｂ）に対応して配設されている。
【００４０】
コネクター６５０は、図２、図３の図面下方の外形（外周）近傍に配設される。コネクター６５０は、後述する３つのフレキシブル基板２５３の並び順に対応しており、図面左方から、Ｂ光用コネクター６５０Ｂ、Ｇ光用コネクター６５０Ｇ、Ｒ光用コネクター６５０Ｒの順に配設されている。従って、３つのパネル駆動ＩＣ６１０は、３つのコネクター６５０に対応して、図面左方から、Ｂ光用駆動ＩＣ６１０Ｂ、Ｇ光用駆動ＩＣ６１０Ｇ、Ｒ光用駆動ＩＣ６１０Ｒの順に配設される。なお、図２において、各コネクター６５０に付した●は、それぞれ１番ピンの位置を示しており、それぞれ対応する液晶パネル２５２の１番ピン（○で示す）に接続されている。
【００４１】
回路基板５０には、ＣＰＵ６００を中心として、上述した接続用入力端子６２０や接続用端子６３０を含め、各種の回路素子６０を電気的に接続するための配線パターン（図示省略）が形成されている。従って、ＣＰＵ６００と、３つのパネル駆動ＩＣ６１０との間が、配線パターンにより電気的に接続される。また、３つのパネル駆動ＩＣ６１０と、対応する３つのコネクター６５０との間が、配線パターンにより電気的に接続される。
【００４２】
３つのコネクター６５０において、隣り合うコネクター６５０は、直角を除く角度を有して配設されている。ここで、図２に示すように、Ｇ光用コネクター６５０Ｇの外形を基準として、隣り合うＢ光用コネクター６５０Ｂの外形との成す角度をθ１とし、同様に隣り合うＲ光用コネクター６５０Ｒの外形との成す角度をθ２とする。その場合、θ１とθ２とは、直角を除く角度を有している。詳細には、本実施形態では、θ１とθ２とは略３０°を成している。従って、本実施形態の３つのコネクター６５０は、Ｇ光用コネクター６５０Ｇを基準として、Ｂ光用コネクター６５０ＢとＲ光用コネクター６５０Ｒとが略対称となるように配設されている。
【００４３】
また、３つのコネクター６５０の近傍となる回路基板５０の外形形状は、３つのコネクター６５０の外形形状と略平行な領域を有している。詳細には、本実施形態では、Ｇ光用コネクター６５０Ｇの近傍となる回路基板５０の外形形状は、Ｇ光用コネクター６５０Ｇの外形形状と略平行な領域となる外形形状５０１を有している。また、Ｂ光用コネクター６５０Ｂの近傍となる回路基板５０の外形形状は、Ｂ光用コネクター６５０Ｂの外形形状と略平行な領域となる外形形状５０２を有している。同様に、Ｒ光用コネクター６５０Ｒの近傍となる回路基板５０の外形形状は、Ｒ光用コネクター６５０Ｒの外形形状と略平行な領域となる外形形状５０３を有している。
【００４４】
ここで、光学装置ユニット２６は、図２、図３に示すように、クロスダイクロイックプリズム２５５の隣接する３方向の入射面２５５Ｒ，２５５Ｇ，２５５Ｂに、対応する液晶パネル２５２（２５２Ｒ，２５２Ｇ，２５２Ｂ）が略平行に保持されている。なお、図２、図３では、射出側偏光板２５４及び保持部材等の図示を省略している。
【００４５】
また、３つの液晶パネル２５２（２５２Ｒ，２５２Ｇ，２５２Ｂ）には、３つのフレキシブル基板２５３（Ｒ光用フレキシブル基板２５３Ｒ、Ｇ光用フレキシブル基板２５３Ｇ、Ｂ光用フレキシブル基板２５３Ｂ）が各々の液晶パネル２５２と平行に延出している。従って、３つのフレキシブル基板２５３（２５３Ｒ，２５３Ｇ，２５３Ｂ）は、クロスダイクロイックプリズム２５５の隣接する３方向の入射面２５５Ｒ，２５５Ｇ，２５５Ｂに対して略平行に延出している。
【００４６】
光学装置ユニット２６（フレキシブル基板２５３）の回路ユニット４０（コネクター６５０）への接続に関して説明する。
光学装置ユニット２６は、光学ユニット２を構成する各種の光学素子を収容する光学部品用筐体３に固定される。なお、この光学部品用筐体３は、外装筐体４を構成する下ケース（図示省略）内部に固定される。そして、回路ユニット４０は、外装筐体４（下ケース）に固定された光学部品用筐体３の上方に配設されて固定される。
【００４７】
光学装置ユニット２６は、図２に示すように、回路基板５０の下方向の外形端部で、図３、図４に示すように、回路基板５０の裏面側に位置する。また、光学装置ユニット２６は、光学装置ユニット２６のＧ光用液晶パネル２５２Ｇと、回路ユニット４０のＧ光用コネクター６５０Ｇとが平面的に相対する位置に配設される。
【００４８】
３つのフレキシブル基板２５３と３つのコネクター６５０との接続方法を説明する。
最初に、Ｇ光用フレキシブル基板２５３ＧとＧ光用コネクター６５０Ｇとを接続する。詳細には、Ｇ光用フレキシブル基板２５３Ｇを、一旦Ｇ光の入射方向とは逆方向に折り曲げた後、回路基板５０の裏面側から表面側に誘導し、表面側に位置するＧ光用コネクター６５０Ｇに対して、さらに折り返す形態で外形形状５０１側から挿入する。この接続により、Ｇ光用フレキシブル基板２５３Ｇは、図３、図４に示すように、ねじれを含まず、折り返しを含んだ屈曲した形態でＧ光用コネクター６５０Ｇと接続する。
【００４９】
次に、Ｂ光用フレキシブル基板２５３ＢとＢ光用コネクター６５０Ｂとを接続する。詳細には、Ｂ光用フレキシブル基板２５３Ｂを回路基板５０の裏面側から図２に示すように図面左方、すなわち、Ｂ光の入射する方向に向けて折り曲げて、回路基板５０の表面側に誘導する。次に、この曲げた状態のＢ光用フレキシブル基板２５３Ｂをねじりながら折り返す形態で、回路基板５０の表面側に位置するＢ光用コネクター６５０Ｂに対して外形形状５０２側から挿入する。この接続により、Ｇ光用フレキシブル基板２５３Ｇは、図３、図４に示すように、ねじれと折り返しを含んで屈曲した形態でＧ光用コネクター６５０Ｇと接続する。
【００５０】
次に、Ｒ光用フレキシブル基板２５３ＲとＲ光用コネクター６５０Ｒとを接続する。この接続は、上述したＢ光用フレキシブル基板２５３ＢとＢ光用コネクター６５０Ｂとの接続方法と同様となる。詳細には、Ｒ光用フレキシブル基板２５３Ｒを回路基板５０の裏面側から図２に示すように図面右方、すなわち、Ｒ光の入射する方向に向けて折り曲げ、表面側に誘導する。次に、この曲げた状態のＲ光用フレキシブル基板２５３Ｒを、ねじりながら折り返す形態で、回路基板５０の表面側に位置するＲ光用コネクター６５０Ｒに対して外形形状５０３側から挿入する。この接続により、Ｒ光用フレキシブル基板２５３Ｒは、図３に示すように、ねじれと折り返しを含んで屈曲した形態でＲ光用コネクター６５０Ｒと接続する。
以上により、３つのフレキシブル基板２５３と３つのコネクター６５０とが接続される。
【００５１】
いずれのフレキシブル基板２５３も、２回の屈曲を経てコネクター６５０に接続される。ただし、図２に示すように、Ｇ光用コネクター６５０Ｇは、Ｒ光用コネクター６５０Ｒ及びＢ光用コネクター６５０Ｂとは、１番ピンの位置が異なる。これは、フレキシブル基板２５３をコネクター６５０と接続するためのフレキシブル基板２５３の折り方に起因する。
【００５２】
なお、３つの液晶パネル２５２は仕様が同様のものを使用している。そのため、３つのフレキシブル基板２５３も仕様が同様である。従って、３つのフレキシブル基板２５３の長さを含む形状も同様である。また、Ｂ光用コネクター６５０ＢとＲ光用コネクター６５０Ｒとは、上述したように、Ｇ光用コネクター６５０Ｇに対して対称な位置に配設される。これにより、Ｂ光用フレキシブル基板２５３ＢとＲ光用フレキシブル基板２５３Ｒとの接続形態は、Ｇ光用コネクター６５０Ｇに対して略対称となる。
【００５３】
また、３つのフレキシブル基板２５３は、許容されるねじり応力及び曲げ応力等を考慮した上で、フレキシブル基板２５３の長さを短く設定している。そして、図４に示すように、光学装置ユニット２６は、回路基板５０の裏面側（コネクター６５０の裏面側）に接近させて接続されている。
【００５４】
上述した実施形態によれば、以下の効果が得られる。
本実施形態の基板接続構造は、３つのコネクター６５０が回路基板５０の外周近傍に配設されることにより、外周側からフレキシブル基板２５３をコネクター６５０に接続することができる。これにより、フレキシブル基板２５３を挿通する孔を回路基板５０に形成する必要がなくなる。従って、回路基板５０に各種の回路素子６０を効率的に配設できることにより、回路素子６０の配設における最適化を図ることができる。併せて、回路素子６０間を結ぶ配線パターンの長さを短くすることができることにより、配線パターンの最適化を図ることができる。これらにより、回路基板５０の大型化を抑制すると共に、回路基板５０の小型化を図ることができる。
【００５５】
本実施形態の基板接続構造は、Ｇ光用コネクター６５０Ｇの外形を基準として、隣り合うＢ光用コネクター６５０Ｂの外形との成す角度、及び、Ｇ光用コネクター６５０Ｇの外形を基準として、隣り合うＲ光用コネクター６５０Ｒの外形との成す角度が、直角を除く角度を有して配設されている。実際には、略３０°の角度を有して配設されている。これにより、回路基板５０にコネクター６５０を配設する場合の角度（位置）に対する設計の自由度が向上し、フレキシブル基板２５３のコネクター６５０への接続作業のし易さを考慮した角度（位置）で各々のコネクター６５０を配設することができる。従って、フレキシブル基板２５３のコネクター６５０への接続作業性を向上させることができる。
【００５６】
本実施形態の基板接続構造は、Ｇ光用コネクター６５０Ｇを基準として、Ｂ光用コネクター６５０Ｂ及びＲ光用コネクター６５０Ｒが略対称となるように配設されるため、対称位置に配設されない場合に比較して、コネクター６５０に至る配線パターンの設計が容易となる。
【００５７】
本実施形態の基板接続構造は、クロスダイクロイックプリズム２５５の隣接する３方向の入射面２５５Ｒ，２５５Ｇ，２５５Ｂに相対させて光変調装置（液晶パネル２５２）を設置した光学装置ユニット２６が用いられている。そして、基準となるＧ光用コネクター６５０Ｇに対応させて光学装置ユニット２６を配設して各々のフレキシブル基板２５３を対応するコネクター６５０に接続することで、Ｂ光用コネクター６５０Ｂ及びＲ光用コネクター６５０Ｒと接続するＢ光用フレキシブル基板２５３Ｂ及びＲ光用フレキシブル基板２５３Ｒをそれぞれ均等のねじり方及び折り返し方で接続することができる。そのため、Ｂ光用フレキシブル基板２５３Ｂ及びＲ光用フレキシブル基板２５３Ｒに付与されるねじり応力や曲げ応力等を均等に分散させることができ、良好な接続状態を維持できる。
【００５８】
本実施形態の基板接続構造は、３つのフレキシブル基板２５３の長さが共通であり、また、３つのフレキシブル基板２５３は、許容されるねじり応力や曲げ応力等を考慮した上でフレキシブル基板２５３の長さを短く設定している。これにより、光学装置ユニット２６をコネクター６５０（回路基板５０）に接近させて配置することができ、回路基板５０と光学装置ユニット２６とを含めた小型化を図ることができる。また、液晶パネル２５２（フレキシブル基板２５３）が共通のため、光変調装置の製造コストの低減に寄与することができる。
【００５９】
本実施形態の基板接続構造において、コネクター６５０の近傍となる回路基板５０の外形形状が、コネクター６５０の外形形状と略平行となる外形形状５０１，５０２，５０３を有していることにより、コネクター６５０の外形に沿った基板外形とすることができ、回路基板５０の小型化を更に図ることができる。
【００６０】
本実施形態の基板接続構造において、Ｇ光用フレキシブル基板２５３Ｇは、Ｇ光用液晶パネル２５２Ｇ側と接続端子側とで、表裏が反転しないようにＧ光用コネクター６５０Ｇと接続される。また、Ｂ光用フレキシブル基板２５３ＢとＲ光用フレキシブル基板２５３Ｒは、表裏が反転するように、それぞれＢ光用コネクター６５０ＢとＲ光用コネクター６５０Ｒに接続される。このように、Ｂ光用フレキシブル基板２５３ＢとＲ光用フレキシブル基板２５３Ｒの表裏を反転させるために、ねじりを加えて、Ｂ光用液晶パネル２５２ＢとＢ光用コネクター６５０Ｂ、Ｒ光用液晶パネル２５２ＲとＲ光用コネクター６５０Ｒとを接続するので、Ｂ光用フレキシブル基板２５３ＢとＲ光用フレキシブル基板２５３Ｒの折り返しが少なくなる。従って、Ｂ光用フレキシブル基板２５３ＢとＲ光用フレキシブル基板２５３Ｒにかかる曲げ応力が少ないので、プロジェクター１の故障につながる断線のおそれが少なくなる。また、製造工程が従来と比べて簡素化されるので、プロジェクター１の製造コストを低減することができる。
【００６１】
本実施形態のプロジェクター１は、上述した基板接続構造を備えることにより、回路基板５０の大型化を抑制できることで、プロジェクター１の小型化を図ることができる。また、回路基板５０とフレキシブル基板２５３との組立作業性が向上できることにより、良好な電気的接続状態を維持でき、安定した投写を行うことができる。
（第２実施形態）
【００６２】
図５は、第２実施形態に係る回路基板５１にフレキシブル基板２５３を接続する基板接続構造を示す平面図である。なお、図５では、回路基板５１の図面上方を省いて図示している。図５を参照して、基板接続構造を説明する。
【００６３】
本実施形態の基板接続構造は、第１実施形態と比較して、フレキシブル基板２５３と接続するコネクター６６０の配設位置が異なることである。また、コネクター６６０の異なる配設位置により、回路ユニット４１（回路基板５１）の形状が異なる。なお、本実施形態のコネクター６６０と第１実施形態のコネクター６５０とは同様の仕様となっているが、説明の便宜上、異なる符号を付記している。それ以外の構成部品に関しては、第１実施形態と同様の構成となっている。また、同様の構成には同様の符号を付記している。
【００６４】
回路ユニット４１は、回路基板５１と、回路基板５１の表裏面に高密度に実装（配設）される各種の回路素子６１とを有して構成されている。回路基板５１は、コネクター６６０を配設する近傍の外形形状が、第１実施形態と異なっている。
【００６５】
コネクター６６０は、第１実施形態と同様に、図面左側から、Ｂ光用コネクター６６０Ｂ、Ｇ光用コネクター６６０Ｇ、Ｒ光用コネクター６６０Ｒの順に配設されている。なお、この３つのコネクター６６０は、第１実施形態と同様の光学装置ユニット２６の３つのフレキシブル基板２５３と接続する。また、図５において、各コネクター６６０に付した●は、それぞれ１番ピンの位置を示しており、それぞれ対応する液晶パネル２５２の１番ピン（○で示す）に接続されている。
【００６６】
本実施形態の３つのコネクター６６０において、隣り合うコネクター６６０は、第１実施形態と同様に、直角を除く角度を有して配設されている。ここで、図５に示すように、Ｇ光用コネクター６６０Ｇの外形を基準として、隣り合うＢ光用コネクター６６０Ｂの外形との成す角度をθ３とし、同様に隣り合うＲ光用コネクター６６０Ｒの外形との成す角度をθ４とする。その場合、θ３とθ４とは、直角を除く角度を有している。詳細には、本実施形態では、θ３とθ４とは略１５０°を成している。従って、本実施形態の３つのコネクター６６０は、Ｇ光用コネクター６６０Ｇを基準として、Ｂ光用コネクター６６０ＢとＲ光用コネクター６６０Ｒとが略対称となるように配設されている。
【００６７】
また、３つのコネクター６６０の近傍となる回路基板５１の外形形状は、３つのコネクター６６０の外形形状と略平行な領域を有している。詳細には、本実施形態では、Ｇ光用コネクター６６０Ｇの近傍となる回路基板５１の外形形状は、Ｇ光用コネクター６６０Ｇの外形形状と略平行な領域となる外形形状５１１を有している。また、Ｂ光用コネクター６６０Ｂの近傍となる回路基板５１の外形形状は、Ｂ光用コネクター６６０Ｂの外形形状と略平行な領域となる外形形状５１２を有している。同様に、Ｒ光用コネクター６６０Ｒの近傍となる回路基板５１の外形形状は、Ｒ光用コネクター６６０Ｒの外形形状と略平行な領域となる外形形状５１３を有している。
【００６８】
光学装置ユニット２６（フレキシブル基板２５３）の回路ユニット４１（コネクター６６０）への接続に関して説明する。
光学装置ユニット２６は、第１実施形態と同様であり、光学ユニット２を構成する各種の光学素子を収容する光学部品用筐体３に固定される。なお、この光学部品用筐体３は、外装筐体４を構成する下ケース（図示省略）内部に固定される。そして、回路ユニット４１は、外装筐体４（下ケース）に固定された光学部品用筐体３の上方に配設されて固定される。
【００６９】
光学装置ユニット２６は、第１実施形態と同様であり、回路基板５１の下方向の外形端部で、回路基板５１の裏面側に位置する。また、光学装置ユニット２６は、光学装置ユニット２６のＧ光用液晶パネル２５２Ｇと、回路ユニット４１のＧ光用コネクター６６０Ｇとが平面的に相対する位置に配設される。
【００７０】
３つのフレキシブル基板２５３と３つのコネクター６６０との接続方法を説明する。
最初に、Ｇ光用フレキシブル基板２５３ＧとＧ光用コネクター６６０Ｇとを接続する。詳細には、Ｇ光用フレキシブル基板２５３Ｇを、一旦Ｇ光の入射方向とは逆方向に折り曲げた後、回路基板５１の裏面側から表面側に誘導し、表面側に位置するＧ光用コネクター６６０Ｇに対して、さらに折り返す形態で外形形状５１１側から挿入する。この接続により、Ｇ光用フレキシブル基板２５３Ｇは、ねじれを含まず、折り返しを含んだ屈曲した形態でＧ光用コネクター６６０Ｇと接続する。
【００７１】
次に、Ｂ光用フレキシブル基板２５３ＢとＢ光用コネクター６６０Ｂとを接続する。詳細には、Ｂ光用フレキシブル基板２５３Ｂを図面左方、すなわち、Ｂ光の入射する方向に向けて折り曲げたあと、入射方向とは逆方向に向けて折り返し、さらにＢ光用コネクター６６０Ｂに向けて折り返す形態で、回路基板５１の表面側に位置するＢ光用コネクター６６０Ｂに対して外形形状５１２側から挿入する。この接続により、Ｇ光用フレキシブル基板２５３Ｇは、折り返しを含んで屈曲した形態でＧ光用コネクター６６０Ｇと接続する。
【００７２】
次に、Ｒ光用フレキシブル基板２５３ＲとＲ光用コネクター６６０Ｒとを接続する。この接続は、上述したＢ光用フレキシブル基板２５３ＢとＢ光用コネクター６６０Ｂとの接続方法と同様となる。詳細には、Ｒ光用フレキシブル基板２５３Ｒを図面右方、すなわち、Ｒ光の入射する方向に向けて折り曲げたあと、入射方向とは逆方向に向けて折り返し、さらにＲ光用コネクター６６０Ｒに向けて折り返す形態で、回路基板５１の表面側に位置するＲ光用コネクター６６０Ｒに対して外形形状５１３側から挿入する。この接続により、Ｒ光用フレキシブル基板２５３Ｒは、折り返しを含んで屈曲した形態でＲ光用コネクター６６０Ｒと接続する。なお、図５に示すように、コネクター６６０の１番ピンの位置は、第１実施形態とは異なり、いずれも図面に向かって右側に統一される。これは、Ｂ光用フレキシブル基板２５３Ｂ及びＲ光用フレキシブル基板２５３Ｒが、基板の表裏が反転するようなねじれを加えられていないことに起因する。
【００７３】
以上により、３つのフレキシブル基板２５３と３つのコネクター６６０とが接続される。なお、３つのフレキシブル基板２５３は、第１実施形態と同様に、許容されるねじり応力及び曲げ応力等を考慮して屈曲させている。
【００７４】
上述した第２実施形態によれば、以下の効果が得られる。
本実施形態の基板接続構造において、３つのフレキシブル基板（Ｒ光用フレキシブル基板２５３Ｒ、Ｇ光用フレキシブル基板２５３Ｇ、Ｂ光用フレキシブル基板２５３Ｂ）は、それぞれの光変調装置側と接続端子側とで、表裏が反転しないようにコネクター６６０（Ｒ光用コネクター６６０Ｒ、Ｇ光用コネクター６６０Ｇ、Ｂ光用コネクター６６０Ｂ）と接続されている。これにより、回路基板５１に配設される３つのコネクター６６０（Ｒ光用コネクター６６０Ｒ、Ｇ光用コネクター６６０Ｇ、Ｂ光用コネクター６６０Ｂ）は、それぞれのピン配置が統一されるので、製品の開発工程や製造工程において、フレキシブル基板による光変調装置と回路基板との接続の確認が容易になる。
【００７５】
なお、第２実施形態は、上記効果以外は第１実施形態と同様の効果を奏する。従って、使用者は、フレキシブル基板２５３と、回路基板５０（コネクター６５０）並びに回路基板５１（コネクター６６０）との組立作業性等を比較してどちらかを選択することができる。
（第３実施形態）
【００７６】
図６は、第３実施形態に係る回路基板５２にフレキシブル基板２５３を接続する基板接続構造を示す平面図である。なお、図６では、回路基板５２の図面上方を省いて図示している。図６を参照して、基板接続構造を説明する。
【００７７】
本実施形態の基板接続構造は、第１実施形態と比較して、フレキシブル基板２５３と接続するコネクター６７０の配設位置が異なることである。また、コネクター６７０の異なる配設位置により、回路ユニット４２（回路基板５２）の形状が異なる。なお、本実施形態のコネクター６７０と第１実施形態のコネクター６５０とは同様の仕様となっているが、説明の便宜上、異なる符号を付記している。それ以外の構成部品に関しては、第１実施形態と同様の構成となっている。また、同様の構成には同様の符号を付記している。
【００７８】
回路ユニット４２は、回路基板５２と、回路基板５２の表裏面に高密度に実装（配設）される各種の回路素子６２とを有して構成されている。回路基板５２は、コネクター６７０を配設する近傍の外形形状が、第１実施形態と異なっている。
【００７９】
コネクター６７０は、第１実施形態と同様に、図面左側から、Ｂ光用コネクター６７０Ｂ、Ｇ光用コネクター６７０Ｇ、Ｒ光用コネクター６７０Ｒの順に配設されている。なお、この３つのコネクター６７０は、第１実施形態と同様の光学装置ユニット２６の３つのフレキシブル基板２５３と接続する。また、図６において、各コネクター６７０に付した●は、それぞれ１番ピンの位置を示しており、それぞれ対応する液晶パネル２５２の１番ピン（○で示す）に接続されている。
【００８０】
本実施形態の３つのコネクター６７０において、隣り合うコネクター６７０は、第１実施形態と同様に、直角を除く角度を有して配設されている。詳細には、図６に示すように、Ｇ光用コネクター６７０Ｇの外形を基準として、隣り合うＢ光用コネクター６７０Ｂの外形との成す角度は、略平行である。また、同様に隣り合うＲ光用コネクター６７０Ｒの外形との成す角度も、略平行である。従って、本実施形態の３つのコネクター６７０は、Ｇ光用コネクター６７０Ｇを基準として、Ｂ光用コネクター６７０ＢとＲ光用コネクター６７０Ｒとが略対称となる。言い換えると、Ｇ光用コネクター６７０Ｇ、Ｂ光用コネクター６７０Ｂ、Ｒ光用コネクター６７０Ｒが略直線状に配設されている。また、３つのコネクター６７０の近傍となる回路基板５２の外形形状は、３つのコネクター６７０の外形形状と略平行な領域として外形形状５２１を有している。
【００８１】
光学装置ユニット２６（フレキシブル基板２５３）の回路ユニット４２（コネクター６７０）への接続に関して説明する。
光学装置ユニット２６は、第１実施形態と同様であり、光学ユニット２を構成する各種の光学素子を収容する光学部品用筐体３に固定される。なお、この光学部品用筐体３は、外装筐体４を構成する下ケース（図示省略）内部に固定される。そして、回路ユニット４２は、外装筐体４（下ケース）に固定された光学部品用筐体３の上方に配設されて固定される。
【００８２】
光学装置ユニット２６は、第１実施形態と同様であり、回路基板５２の下方向の外形端部で、回路基板５２の裏面側に位置する。また、光学装置ユニット２６は、光学装置ユニット２６のＧ光用液晶パネル２５２Ｇと、回路ユニット４２のＧ光用コネクター６７０Ｇとが平面的に相対する位置に配設される。
【００８３】
３つのフレキシブル基板２５３と３つのコネクター６７０との接続方法を説明する。
最初に、Ｇ光用フレキシブル基板２５３ＧとＧ光用コネクター６７０Ｇとを接続する。詳細には、Ｇ光用フレキシブル基板２５３Ｇを、一旦Ｇ光の入射方向とは逆方向に折り曲げた後、回路基板５２の裏面側から表面側に誘導し、表面側に位置するＧ光用コネクター６７０Ｇに対して、さらに折り返す形態で外形形状５２１側から挿入する。この接続により、Ｇ光用フレキシブル基板２５３Ｇは、ねじれを含まず、折り返しを含んだ屈曲した形態でＧ光用コネクター６７０Ｇと接続する。
【００８４】
次に、Ｂ光用フレキシブル基板２５３ＢとＢ光用コネクター６７０Ｂとを接続する。詳細には、Ｂ光用フレキシブル基板２５３Ｂを図面左方、すなわち、Ｂ光の入射する方向に向けて折り曲げ、回路基板５２の表面側に誘導する。次に、この曲げた状態のＢ光用フレキシブル基板２５３Ｂをねじりながら折り返す形態で、回路基板５２の表面側に位置するＢ光用コネクター６７０Ｂに対して外形形状５２１側から挿入する。この接続により、Ｇ光用フレキシブル基板２５３Ｇは、ねじれと折り返しを含んで屈曲した形態でＧ光用コネクター６７０Ｇと接続する。
【００８５】
次に、Ｒ光用フレキシブル基板２５３ＲとＲ光用コネクター６７０Ｒとを接続する。この接続は、上述したＢ光用フレキシブル基板２５３ＢとＢ光用コネクター６７０Ｂとの接続方法と同様となる。詳細には、Ｒ光用フレキシブル基板２５３Ｒを図面右方、すなわち、Ｒ光の入射する方向に向けて折り曲げ、回路基板５２の表面側に誘導する。次に、この曲げた状態のＲ光用フレキシブル基板２５３Ｒをねじりながら折り返す形態で、回路基板５２の表面側に位置するＲ光用コネクター６７０Ｒに対して外形形状５２１側から挿入する。この接続により、Ｒ光用フレキシブル基板２５３Ｒは、ねじれと折り返しを含んで屈曲した形態でＲ光用コネクター６７０Ｒと接続する。
【００８６】
以上により、３つのフレキシブル基板２５３と３つのコネクター６７０とが接続される。なお、３つのフレキシブル基板２５３は、第１実施形態と同様に、許容されるねじり応力及び曲げ応力等を考慮して屈曲させている。また、各コネクター６７０（Ｒ光用コネクター６７０Ｒ、Ｇ光用コネクター６７０Ｇ、Ｂ光用コネクター６７０Ｂ）の１番ピンの位置は、第１実施形態と同様になる。
【００８７】
上述した第３実施形態によれば、上述した実施形態と比べてコネクター６７０を回路基板５２上に配置するために必要なスペースが少なく、回路基板５２の面積を、より小さくすることができる。さらに、第１実施形態と同様の効果が得られる。従って、使用者は、フレキシブル基板２５３と、回路基板５０（コネクター６５０）並びに回路基板５２（コネクター６７０）との組立作業性を比較してどちらかを選択することができる。なお、第３実施形態と第２実施形態との違いは、第１実施形態との違いと同様に、フレキシブル基板２５３と接続するコネクター６７０の配設位置が第２実施形態でのコネクター６６０の配設位置と異なることである。また、フレキシブル基板２５３を表裏反転させることである。それ以外は第２実施形態と同様となる。従って、使用者は、フレキシブル基板２５３と、回路基板５１（コネクター６６０）並びに回路基板５２（コネクター６７０）との組立作業性等を比較してどちらかを選択することもできる。
【００８８】
なお、上述した実施形態に限定されず、その要旨を逸脱しない範囲において種々の変更や改良等を加えて実施することが可能である。変形例を以下に述べる。
【００８９】
前記第１実施形態の基板接続構造において、Ｇ光用コネクター６５０Ｇの外形を基準として、隣り合う２つのＢ光用コネクター６５０Ｂの外形、及びＲ光用コネクター６５０Ｒの外形との成す角度が、直角を除く角度（第１実施形態では３０°）を有して配設されている。しかし、少なくとも１組の隣り合うコネクターが直角を除く角度を有して配設されることでよい。例えば、Ｇ光用コネクター６５０Ｇの外形を基準とした場合、Ｂ光用コネクター６５０Ｂの外形、又はＲ光用コネクター６５０Ｒの外形の一方との成す角度が、直角を除く角度を有し、他方とのなす角度が、直角で配設されていてもよい。これは、前記第２、第３実施形態においても同様である。
【００９０】
前記第１、第２、第３実施形態の基板接続構造において、コネクター６５０，６６０，６７０のなす角度を、それぞれ、略３０°、略１５０°、及び略平行（１８０°）として配設した実施形態を説明した。しかし、これに限られず、直角を除く角度であればよい。例えば、角度をθとした場合、０＜θ＜９０°の鋭角、９０°＜θ＜１８０°の鈍角、θ＝１８０°の平角、１８０°＜θ＜３６０の優角（但し、θ＝２７０°は除く）の中で設定することができる。なお、角度を設定する場合、フレキシブル基板２５３に許容されるねじり応力及び曲げ応力と、フレキシブル基板２５３とコネクター６５０，６６０，６７０の組立作業性とを考慮して設定することでよい。
【００９１】
前記第１実施形態の基板接続構造において、３つのコネクター６５０は、Ｇ光用コネクター６５０Ｇを基準として、Ｂ光用コネクター６５０ＢとＲ光用コネクター６５０Ｒとが略対称となるように配設されている。しかし、これに限られず、対称となるように配設されなくてもよい。言い換えると、３つのコネクター６５０は、Ｇ光用コネクター６５０Ｇの外形を基準として、Ｂ光用コネクター６５０Ｂの外形とのなす角度と、Ｒ光用コネクター６５０Ｒの外形とのなす角度とが異なっていてもよい。これは、前記第２、第３実施形態においても同様である。
【００９２】
前記第１実施形態の基板接続構造において、３つのコネクター６５０の近傍となる回路基板５０の外形形状５０１，５０２，５０３は、３つのコネクター６５０の外形形状と略平行となっている。しかし、これに限られず、平行な外形形状を有していなくてもよい。これは、前記第２、第３実施形態においても同様である。
【００９３】
前記第１、第２、第３実施形態の基板接続構造において、光学装置２５は、透過型光変調装置（透過型の液晶パネル２５２）を採用している。しかし、これに限られず、反射型の光変調装置（反射型の液晶パネル）を採用してもよい。また、上述した基板接続構造を適用可能な光変調素子は、反射型あるいは透過型の液晶パネルに限定されるものではなく、例えば、デジタルマイクロミラーデバイス等、他の方式の光変調装置にも適用することができる。
【００９４】
前記第１、第２、第３実施形態の基板接続構造において、光学装置２５は、Ｒ光、Ｇ光、及びＢ光に対応する３つの透過型光変調装置を用いるいわゆる３板方式を採用している。しかし、これに限られず、コントラストを向上させるための光変調装置を追加して採用してもよい。また、このコントラスト向上用の光変調装置のフレキシブル基板に本実施形態の基板接続構造を採用してもよい。
【００９５】
前記第１、第２、第３実施形態の基板接続構造において、コネクター６５０（６６０，６７０）は、すべて、回路基板５０（５１，５２）の一方の面（表面側）に実装されるものとしたが、これに限られず、複数のコネクター６５０（６６０，６７０）のうち、いずれかを回路基板５０（５１，５２）の他方の面（裏面側）に実装してもよい。このような構造によれば、コネクター６５０（６６０，６７０）の間隔をより狭くすることができるため、回路基板５０（５１，５２）の面積をさらに小さくすることができる。また、回路基板５０（５１，５２）の他方の面（裏面側）に配置されたコネクター６５０（６６０，６７０）に、基板の表裏が反転しないように取り回されたフレキシブル基板２５３を接続する構成によれば、回路設計の上流工程で作成される結線図において、パネル駆動ＩＣ６１０とコネクター６５０（６６０，６７０）との間の配線が交差する箇所がなくなり、結線図の共通化ができ、さらに結線図の可読性が高まるため、ミスの発見が容易になる。また、光変調装置の上方に回路基板を配設し、光変調装置の位置に相対する回路基板の位置に形成された貫通する３つの孔に対して各フレキシブル基板を下方から上方に挿通した後、対応する各コネクターに接続する従来の構造とは異なり、複数のコネクター６５０（６６０，６７０）は回路基板５０（５１，５２）の外形形状の辺縁部近傍に配置されるため、製造工程における組立作業も容易である。
【００９６】
前記第１、第２、第３実施形態の光学ユニット２において、光源装置２１から射出された光束の照度を均一化する照明光学装置２２として、第１レンズアレイ２２１、第２レンズアレイ２２２からなるレンズインテグレーター光学系を採用している。しかし、これに限られず、導光ロッドからなるロッドインテグレーター光学系も採用することができる。
【００９７】
前記第１、第２、第３実施形態の光学ユニット２において、光源装置２１の光源ランプ２１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００９８】
１…プロジェクター、２…光学ユニット、２５…光学装置、２６…光学装置ユニット、５０…回路基板、６０…回路素子、２５２…液晶パネル、２５３…フレキシブル基板、５０１，５０２，５０３…外形形状、６５０…コネクター。
【図１】
2012003039.tif 000003
【図２】
2012003039.tif 000004
【図３】
2012003039.tif 000005
【図４】
2012003039.tif 000006
【図５】
2012003039.tif 000007
【図６】
2012003039.tif 000008